(57)【要約】  【課題】  個々の被検査物の検査データを確実に識別可能に記憶保存し、確実に抽出することができるＸ線検査装置を提供する。  【解決手段】  搬送方向に所定間隔に配された複数の搬送領域にそれぞれ、視覚により識別可能でかつ他領域とでは表示内容が異なる搬送位置識別表示部１１ｂを設ける一方、被検査物Ｗの検査毎に被検査物Ｗの目視可能な固有識別情報およびその近傍の搬送位置識別表示部１１ｂを含む被検査物Ｗ毎の外観可視画像Ｐａを撮像するＣＣＤカメラ１６と、検査毎に、Ｘ線画像Ｐｘを搬送位置識別表示部１１ｂの表示内容を含む画像として作成するＸ線画像作成手段２６と、外観可視画像Ｐａを検査時刻情報に対応するファイル名の画像ファイルとして出力する第１の画像出力手段３１と、Ｘ線画像を検査時刻情報に対応するファイル名の画像ファイルとして出力する第２の画像出力手段３２とを備える。【選択図】  図１
2006234422.tif 000002
【特許請求の範囲】
【請求項１】
被検査物（Ｗ）を搬送手段（１１）により搬送しながら被検査物の各部Ｘ線透過量に基づいて該被検査物の状態を検査するとともに、前記Ｘ線透過量に対応する濃度のＸ線画像（Ｐｘ）を作成するＸ線検査装置であって、
前記搬送手段が、前記被検査物の搬送方向に所定間隔に配された複数の搬送領域にそれぞれ、視覚により識別可能でかつ他の搬送領域とでは表示内容が異なる搬送位置識別表示部（１１ｂ）を含む一方、
前記被検査物の検査毎に、各被検査物の目視可能な固有識別情報および該被検査物の近傍に位置する前記搬送位置識別表示部を含む被検査物毎の外観可視画像（Ｐａ）を撮像する撮像手段（１６）と、
前記被検査物の検査毎に、前記Ｘ線画像を前記搬送位置識別表示部の表示内容を含む画像として作成するＸ線画像作成手段（２４、２６）と、
前記撮像手段で撮像された外観可視画像をそれぞれ時間と共に変化する検査時刻情報に対応するファイル名を有する画像ファイルとして出力する第１の画像出力手段（３１）と、
前記Ｘ線画像作成手段で作成されたＸ線画像をそれぞれ時間と共に変化する検査時刻情報に対応するファイル名を有する画像ファイルとして出力する第２の画像出力手段（３２）と、を備えたことを特徴とするＸ線検査装置。
【請求項２】
被検査物を搬送手段により搬送しながら被検査物の各部Ｘ線透過量に基づいて該被検査物の状態を検査するとともに、前記Ｘ線透過量に対応する濃度のＸ線画像を作成するＸ線検査装置であって、
前記搬送手段が、前記被検査物の搬送方向に所定間隔に配された複数の搬送領域にそれぞれ、視覚により識別可能でかつ他の搬送領域とでは表示内容が異なる搬送位置識別表示部を含む一方、
前記被検査物の検査毎に、各被検査物の目視可能な固有識別情報および該被検査物の近傍に位置する前記搬送位置識別表示部を含む被検査物毎の外観可視画像（Ｐａ）を撮像する撮像手段と、
前記被検査物の検査毎に、前記Ｘ線画像を前記搬送位置識別表示部の表示内容を含む画像として作成するＸ線画像作成手段と、
前記撮像手段で撮像された外観可視画像をそれぞれ時間と共に変化する検査時刻情報に対応するファイル名で識別および読出し可能に記憶保存する第１の蓄積手段（４１）と、
前記Ｘ線画像作成手段で作成されたＸ線画像をそれぞれ時間と共に変化する検査時刻情報に対応するファイル名で識別および読出し可能に記憶保存する第２の蓄積手段（４２）と、を更に備えたことを特徴とする請求項１に記載のＸ線検査装置。
【請求項３】
前記搬送手段が、前記被検査物の搬送方向に所定間隔に配された複数の搬送領域を無端に連設した無端搬送手段であり、
前記搬送位置識別表示部が、該搬送手段の所定の搬送領域を基準として、前記搬送方向に一定周期で変化する識別符号を表示することを特徴とする請求項１又は２に記載のＸ線検査装置。
【請求項４】
前記搬送位置識別表示部が、Ｘ線透過率が前記搬送領域内の他の部分とは異なることを特徴とする請求項１乃至３のいずれか１つに記載のＸ線検査装置。
【請求項５】
前記搬送位置識別表示部が、前記搬送領域内の他の部分とはＸ線透過率が異なる材料で形成されるか又はＸ線透過率が異なる構造に形成されたことを特徴とする請求項４に記載のＸ線検査装置。
【請求項６】
前記搬送位置識別表示部が、磁気的読取が可能な材料で形成されたことを特徴とする請求項１乃至３のいずれか１つに記載のＸ線検査装置。
【請求項７】
前記識別符号は、所定の搬送領域を基準として、該基準となる搬送領域から離れるほど値が増加又は減少する数値であることを特徴とする請求項３に記載のＸ線検査装置。
【請求項８】
請求項１乃至７のいずれか１つに記載のＸ線検査装置による検査結果の蓄積情報から画像情報を抽出する蓄積情報抽出システムであって、
前記Ｘ線検査装置から前記外観可視画像および前記Ｘ線画像を入力し蓄積する画像入力蓄積手段（５１）と、
前記被検査物の固有識別情報と前記検査時刻情報との関係情報を保持し、前記被検査物の固有識別情報に基づいて前記検査時刻情報を特定する検査時刻情報特定手段（５２）と、
該検査時刻情報に基づいて前記蓄積された外観可視画像のうち前記特定された検査時刻情報に対応する外観可視画像を抽出する第１の画像抽出手段（５６）と、
該検査時刻情報に基づいて前記蓄積されたＸ線画像のうち前記特定された検査時刻情報に対応するＸ線画像を抽出する第２の画像抽出手段（５７）と、
前記第１の画像抽出手段により抽出された外観可視画像および前記第２の画像抽出手段により抽出されたＸ線画像を対比表示する表示手段（５９）と、を備えたことを特徴とする蓄積情報抽出システム。
【請求項９】
前記第１の画像抽出手段および前記第２の画像抽出手段が、前記検査時刻情報特定手段で特定された検査時刻情報に対応するそれぞれ複数の前記外観可視画像および前記Ｘ線画像を抽出し、
該抽出されたそれぞれ複数の画像を前記表示手段により対比表示することを特徴とする請求項８に記載の蓄積情報抽出システム。
【発明の詳細な説明】
【技術分野】
【０００１】
本発明は、搬送中の被検査物に向けてＸ線を照射し、その被検査物のＸ線透過量に基づいて被検査物の状態、例えば被検査物中の異物若しくは欠品検査対象である特定構成要素の有無又は被検査物の異常（例えば割れ、部分欠落、変形、変質等）の有無といった状態の検査を実行するＸ線検査装置およびその蓄積情報抽出システム、特に、検査済み製品の検査データを、蓄積し抽出できるようにしたＸ線検査装置および蓄積情報抽出システムに関する。
【背景技術】
【０００２】
この種のＸ線検査装置においては、被検査物を搬送しながら被検査物の全体にＸ線を透過させることで、被検査物の各部のＸ線吸収量の相違を把握して被検査物の状態検査を実行するものが知られており、被検査物の相対位置毎のＸ線透過量に対応する濃度のＸ線画像を表示するものが多い。
【０００３】
また、近時、消費者保護のため流通商品の品質向上がより一層希求されており、例えばＨＡＣＣＰ（Hazard Analysis Critical Control Point;危害分析重要管理点）に適合した食品衛生管理体制の強化が高度に要求されるとともに、各製品についてのトレーサビリティの確保が要求されている。
【０００４】
このような要求に対し、従来のＸ線検査装置および蓄積情報抽出システムでは、例えば、Ｘ線画像をＸ線検査装置外の蓄積メモリに蓄積できるようにし、後日の問合せに際し、被検査物製品のバーコード情報を基にその製品のＸ線画像を抽出して、製品検査時の検査データとするようにしたものがある（例えば、特許文献１参照）。
【０００５】
この場合、検査対象の製品の包装材にバーコードを予め付加し、Ｘ線異物検査の際にそのバーコードを読み取って識別情報とし、Ｘ線画像の検査データを蓄積していた。
【０００６】
【特許文献１】特開２００２−２８８２１号公報
【発明の開示】
【発明が解決しようとする課題】
【０００７】
しかしながら、上記従来のＸ線検査装置にあっては、Ｘ線検査装置の外部に設置した読取装置を使用して、被検査物の固有識別情報であるバーコードを読み取り、その読み取り情報を基に検査データの管理を行なっていたため、バーコードの誤読や読み取り不能状態が発生した際に、Ｘ線検査情報と被検査物の情報に不一致が生じたり個体識別ができない検査情報が生じたりしてしまうという問題があった。
【０００８】
本発明は、このような従来のＸ線検査装置の問題点に鑑みてなされたものであり、高負荷の検査を行なう場合でも個々の被検査物の検査データを確実に識別可能に記憶保存し、確実に抽出することができるＸ線検査装置を提供することを目的とする。
【課題を解決するための手段】
【０００９】
本発明は、上記目的達成のため、（１）被検査物を搬送手段により搬送しながら被検査物の各部Ｘ線透過量に基づいて該被検査物の状態を検査するとともに、前記Ｘ線透過量に対応する濃度のＸ線画像を作成するＸ線検査装置であって、前記搬送手段が、前記被検査物の搬送方向に所定間隔に配された複数の搬送領域に、それぞれ、視覚により識別可能でかつ他の搬送領域とでは表示内容が異なる搬送位置識別表示部を含む一方、前記被検査物の検査毎に、各被検査物の目視可能な固有識別情報および該被検査物の近傍に位置する前記搬送位置識別表示部を含む被検査物毎の外観可視画像を撮像する撮像手段と、前記被検査物の検査毎に、前記Ｘ線画像を前記搬送位置識別表示部の表示内容を含む画像として作成するＸ線画像作成手段と、前記撮像手段で撮像された外観可視画像をそれぞれ時間と共に変化する検査時刻情報に対応するファイル名を有する画像ファイルとして出力する第１の画像出力手段と、前記Ｘ線画像作成手段で作成されたＸ線画像をそれぞれ時間と共に変化する検査時刻情報に対応するファイル名を有する画像ファイルとして出力する第２の画像出力手段と、を備えたことを特徴とするものである。
【００１０】
このＸ線検査装置では、外観可視画像とＸ線画像とにそれぞれ搬送位置の識別情報が含まれることから、その搬送位置識別表示との組み合わせで、検査時刻の情報（例えば秒単位）より細かい単位で検査画像データを取り扱うことが可能となる。したがって、高速搬送される被検査物や搬送ピッチの小さい多量の被検査物を検査する場合であっても、個々の被検査物の検査データをその被検査物の外観情報との確実な関連付けの下に記録保存することが可能となる。また、本装置から出力される画像ファイルは、識別および読出し可能に蓄積保存可能であり、被検査物の固有識別情報と検査時刻情報との関係を把握しておくだけで、固有識別情報および搬送位置識別表示を含む外観可視画像を基に、被検査物の検査データを蓄積情報から確実に特定・抽出して遡及照合することが可能となる。
【００１１】
本発明は、あるいは、（２）被検査物を搬送手段により搬送しながら被検査物の各部Ｘ線透過量に基づいて該被検査物の状態を検査するとともに、前記Ｘ線透過量に対応する濃度のＸ線画像を作成するＸ線検査装置であって、前記搬送手段が、前記被検査物の搬送方向に所定間隔に配された複数の搬送領域にそれぞれ、視覚により識別可能でかつ他の搬送領域とでは表示内容が異なる搬送位置識別表示部を含む一方、前記被検査物の検査毎に、各被検査物の目視可能な固有識別情報および該被検査物の近傍に位置する前記搬送位置識別表示部を含む被検査物毎の外観可視画像を撮像する撮像手段と、前記被検査物の検査毎に、前記Ｘ線画像を前記搬送位置識別表示部の表示内容を含む画像として作成するＸ線画像作成手段と、前記撮像手段で撮像された外観可視画像をそれぞれ時間と共に変化する検査時刻情報に対応するファイル名で識別および読出し可能に記憶保存する第１の蓄積手段と、前記Ｘ線画像作成手段で作成されたＸ線画像をそれぞれ時間と共に変化する検査時刻情報に対応するファイル名で識別および読出し可能に記憶保存する第２の蓄積手段と、を更に備えたことを特徴とするものである。
【００１２】
このＸ線検査装置では、外観可視画像とＸ線画像とにそれぞれ搬送位置の識別情報が含まれることから、その搬送位置識別表示との組み合わせで、検査時刻の情報（例えば秒単位）より細かい単位で検査画像データを取り扱うことが可能となる。したがって、高速搬送される被検査物や搬送ピッチの小さい多量の被検査物を検査する場合であっても、個々の被検査物の検査データを確実にその被検査物の外観情報との確実な関連付けの下に記録保存することが可能となる。また、第１および第２の蓄積手段に蓄積された画像ファイルは、時刻情報に対応して識別および読出し可能であるから、被検査物の固有識別情報と検査時刻情報との関係を把握しておくだけで、固有識別情報および搬送位置識別表示を含む外観可視画像を基に、被検査物の検査データを蓄積情報から確実に特定・抽出して遡及照合することが可能となる。
【００１３】
なお、前記搬送位置識別表示部は、視覚により識別可能な識別表示要素を各搬送領域内に少なくとも１つ含んだものであって、搬送領域の配設間隔より狭い間隔で各搬送領域内に複数の識別表示要素が設けられてもよい。また、被検査物が複数の搬送領域に跨る状態で搬送されるように狭い間隔で多数の搬送領域を設けてもよい。すなわち、１つの被検査物に対し、搬送位置識別表示部が複数存在するようにしてもよい。また、前記搬送領域は、撮像手段の撮像範囲より狭い小領域となるよう設定される。
【００１４】
本発明のＸ線検査装置においては、（３）前記搬送手段が、前記被検査物の搬送方向に所定間隔に配された複数の搬送領域を無端に連設した無端搬送手段であり、前記搬送位置識別表示部が、該搬送手段の所定の搬送領域を基準として、前記搬送方向に一定周期で変化する識別符号を表示するものであるのが好ましい。この構成により、搬送位置の把握が容易で、被検査物と搬送位置との明確な対応付けが可能となる。
【００１５】
また、（４）前記搬送位置識別表示部が、Ｘ線透過率が前記搬送領域内の他の部分とは異なるものであるのがよい。この構成により、搬送位置識別表示部の表示内容がＸ線画像にも直接撮像されることから、被検査物と搬送位置との正確な対応付けが可能となる。
【００１６】
さらに、（５）前記搬送位置識別表示部が、前記搬送領域内の他の部分とはＸ線透過率が異なる材料で形成されるか又はＸ線透過率が異なる構造に形成されてもよい。その場合、金属系の塗料等で搬送位置識別表示部を容易に形成することが可能となる。
【００１７】
あるいは、（６）前記搬送位置識別表示部が、磁気的読取が可能な材料で形成されたものであってもよい。この場合、搬送位置識別表示部の表示内容が公知の磁気式の読み取りが可能となるから、被検査物と搬送位置との正確な対応付けが可能で、かつ、その搬送位置識別表示部は容易に形成することができる。
【００１８】
さらに、（７）前記識別符号は、所定の搬送領域を基準として、該基準となる搬送領域から離れるほど値が増加又は減少する数値であるのが好ましい。この構成により、搬送位置が視覚的にも直接に把握できるとともに、検索時の条件付けも容易である。
【００１９】
本発明は、また、（８）上記いずれかの構成を有するＸ線検査装置による検査結果の蓄積情報から画像情報を抽出する蓄積情報抽出システムであって、前記Ｘ線検査装置から前記外観可視画像および前記Ｘ線画像を入力し蓄積する画像入力蓄積手段と、前記被検査物の固有識別情報と前記検査時刻情報との関係情報を保持し、前記被検査物の固有識別情報に基づいて、前記検査時刻情報を特定する検査時刻情報特定手段と、該検査時刻情報に基づいて前記蓄積された外観可視画像のうち前記特定された検査時刻情報に対応する外観可視画像を抽出する第１の画像抽出手段と、該検査時刻情報に基づいて前記蓄積されたＸ線画像のうち前記特定された検査時刻情報に対応するＸ線画像を抽出する第２の画像抽出手段と、前記第１の画像抽出手段により抽出された外観可視画像および前記第２の画像抽出手段により抽出されたＸ線画像を対比表示する表示手段と、を備えたことを特徴とするものである。
【００２０】
この蓄積情報抽出システムでは、被検査物の固有識別情報に基づいて検査時刻情報が特定されるとともに、特定された検査時刻情報に基づいて、蓄積情報から対応する外観可視画像とＸ線画像が抽出されて、これらが表示手段によって対比表示される。したがって、外観可視画像とＸ線画像とにそれぞれ搬送位置の識別情報が含まれ、その搬送位置識別表示との組み合わせで、過去の検査結果の蓄積情報から検査時刻情報の単位より細かい単位で検査画像データを取り扱うことが可能となる。したがって、高速搬送される被検査物や搬送ピッチの小さい多量の被検査物を検査する場合であっても、個々の被検査物の検査データをその被検査物の外観情報との確実な関連付けの下に記録保存することが可能となる。
【００２１】
本発明の蓄積情報抽出システムでは、また、（９）前記第１の画像抽出手段および前記第２の画像抽出手段が、前記検査時刻情報特定手段で特定された検査時刻情報に対応するそれぞれ複数の前記外観可視画像および前記Ｘ線画像を抽出し、該抽出されたそれぞれ複数の画像を前記表示手段により対比表示するのがよい。
【００２２】
この構成により、被検査物の目視可能な固有識別情報から検査時刻情報が特定されると、これに対応する複数の外観可視画像およびＸ線画像が抽出されて対比表示されるから、固有識別情報が判読し難いような場合でも、それを基に蓋然性の高いグループを特定し、更に外観可視画像中の固有識別情報や搬送位置識別表示情報内容等を総合して、特定の固有識別情報を持つ被検査物を容易かつ確実に特定することができることになる。
【発明の効果】
【００２３】
本発明によれば、外観可視画像とＸ線画像とにそれぞれ搬送位置の識別情報を含めることで、その搬送位置識別表示との組み合わせで、過去の検査結果の蓄積情報から検査時刻の情報より細かい単位で検査画像データを遡及照合することができ、その結果、高速搬送される被検査物や搬送ピッチの小さい多量の被検査物を検査する場合であっても、個々の被検査物の検査データをその被検査物の外観情報との確実な関連付けの下に記録保存することができ、さらに、被検査物の固有識別情報と検査時刻情報との関係を把握しておくだけで、固有識別情報および搬送位置識別表示を含む外観可視画像を基に、被検査物の検査データを蓄積情報から確実に特定・抽出して遡及照合することができるＸ線検査装置および蓄積情報検査システムを提供することができる。
【発明を実施するための最良の形態】
【００２４】
以下、本発明の好ましい実施の形態について、図面を用いながら説明する。
[第１の実施の形態]
図１〜図４は、本発明のＸ線検査装置およびこれと協働する蓄積情報抽出システムに係る第１の実施の形態を示す図である。
【００２５】
まず、その構成について説明する。
【００２６】
図１および図２に示すように、本実施形態のＸ線検査装置１０は、被検査物Ｗを搬送する無端の可撓性の搬送ベルト１１と、被検査物Ｗが検査領域内に進入したときその被検査物Ｗを検知する進入検知センサ１３（図２参照）と、被検査物Ｗに向けてＸ線を照射するＸ線源１４と、搬送ベルト１１の上走面部より下方側に配置されて被検査物Ｗの各部Ｘ線透過量を測定するＸ線ラインセンサ１５と、被検査物Ｗの外観可視画像を撮像するカメラやイメージセンサ等の撮像手段、例えばＣＣＤカメラ１６とを備えている。さらに、検査領域より下流側には、搬送ベルト１１上の被検査物Ｗを選択的に搬送路外に排出することが可能な選別機１７が設置されている。
【００２７】
各被検査物Ｗは、目視可能な固有識別情報を有しており、その固有識別情報は、例えばシリアル番号（製造番号）であるが、賞味期限、製造日、ロット、品種等を特定する他の文字や記号等と共に全体として固有識別情報となるものでもよい。
【００２８】
搬送ベルト１１は、図示しない搬送駆動モータにより所定速度で駆動され、被検査物Ｗを装置内である所定の検査領域を通して上流側から下流側へと搬送するようになっている。
【００２９】
この搬送ベルト１１は、図１に示すように、被検査物Ｗの搬送方向に所定間隔に配された複数の搬送領域１１１〜１３０を有している。これらの搬送領域１１１〜１３０は、それぞれ、例えば被検査物Ｗが載置される載置部１１ａと、視覚により識別可能で各領域内の他の部分とはＸ線透過率が異なり、かつ、他の搬送領域とではその表示内容が異なる複数の搬送位置識別表示部１１ｂとを含んでいる。また、搬送領域１１１〜１３０は、それぞれ後述する撮像手段としてのＣＣＤカメラ１６の撮像範囲（搬送ベルト１１の上面中の範囲）より狭い小領域であればよく、同一形状（同一面積）でなくともよいし、必ずしも等間隔に配置される必要はない。
【００３０】
また、搬送ベルト１１の搬送位置識別表示部１１ｂは、搬送ベルト１１の所定の搬送領域、例えば搬送領域１１１を基準として、搬送方向に一定周期で変化する識別符号（文字、図形、記号又はこれらの組み合わせのいずれでもよく、凹凸があってもよい）を表示するようになっている。その識別符号は、本実施形態においては、所定の搬送領域１１１を基準として、そこから離れるほど値が増加又は減少する数値、例えば、図１に示すような００１から０２０までの識別番号となっている。
【００３１】
このような搬送ベルト１１の各搬送領域１１１〜１３０の搬送位置識別表示部１１ｂは、その搬送位置識別用の識別符号部分が、例えば各領域内の他の部分よりもＸ線透過率の小さい材料（Ｘ線透過率の異なる材料）で形成されており、具体的には、例えば金属系の塗料（金属を含む塗料）によりその文字等が形成されている。なお、搬送位置識別表示部１１ｂは、搬送ベルト１１の部分的な切抜きなどによって構造的にＸ線透過率を異ならせたようなものであってもよい。
【００３２】
進入検知センサ１３は、例えば検査領域の入口に位置する投受光器を有する公知の光学式のものであり、被検査物Ｗが投受光器間を遮光する時間中とそれ以外の時間とで出力信号が変化（反転）するようになっている。
【００３３】
また、Ｘ線源１４は、搬送ベルト１１上の被検査物Ｗが検査領域を通過するとき、搬送ベルト１１の幅（幅員）方向全体に及ぶ範囲でＸ線を照射することができる。このＸ線源１４は、例えば陰極フィラメントからの熱電子をその陰極と陽極の間の高電圧により陽極ターゲットに衝突させてＸ線を発生させるＸ線管であり、Ｘ線を下方のＸ線ラインセンサ１５に向けて不図示のスリットにより略三角形のスクリーン状にして照射するようになっている。
【００３４】
Ｘ線ラインセンサ１５は、搬送ベルト１１上の被検査物Ｗが検査領域に達するとき、被検査物のＸ線透過量を検出するようになっており、具体的には、例えば複数のＸ線検出素子を搬送ベルト１１の幅方向に並設し所定解像度でのＸ線検出を行なうように構成されている。また、Ｘ線ラインセンサ１５の素子列ライン上でのＸ線量のサンプリングピッチと搬送によるサンプリングピッチはほぼ等しく設定されており、Ｘ線ラインセンサ１５の複数の検出素子からのＸ線透過量検出信号を被検査物の搬送方向全域について濃度データとして蓄積記憶することで、Ｘ線画像の元データが取得できるようになっている。
【００３５】
ＣＣＤカメラ１６は、被検査物Ｗの検査毎に、各被検査物Ｗの目視可能な固有識別情報であるシリアル番号とその被検査物Ｗの近傍に位置する搬送ベルト１１の搬送位置識別表示部１１ｂとを視認できる所定方向から、これら固有識別情報および搬送位置識別表示部１１ｂの外観を含む被検査物毎の外観可視画像Ｐａを撮像するようになっている。このＣＣＤカメラ１６は、撮像した画像データを所定の画像ファイル形式（例えばＪＰＥＧ（Joint Photographic Experts Group）方式の静止画）で生成し、時間と共に変化する撮像番号を付けた画像ファイル名でその画像データを出力することができる。
【００３６】
本実施形態においては、ＣＣＤカメラ１６は、Ｘ線照射の指向する方向（反射方向を含む）から外れた位置に設置されており、かつ、Ｘ線源１４からのＸ線が被検査物Ｗの固有識別情報部分に照射される時点又はその直前若しくは直後に、被検査物Ｗの全体像と搬送位置識別表示部１１ｂの外観を前記所定方向から撮像する。また、このＣＣＤカメラ１６の設置姿勢は、例えば図１に模式的に示すようにその撮像視線方向が搬送ベルト１１の上走面に直交するものでもよいし、図２に示すように光軸（視線軸）方向が搬送方向に傾斜していてもよい。あるいは、固有識別情報の印刷位置と被検査物Ｗの搬送姿勢に応じ、例えば鏡を併用したりしてＣＣＤカメラ１６又はそれに代わるイメージセンサを水平方向に設置することもできる。勿論、撮像用の光透過経路を確保するために、搬送ベルト１１を搬送方向又は前後方向で隣り合う複数の搬送ベルトとしたり、搬送ベルト１１に光透過部分（例えば可撓性の透明窓部）を設けたりすることもできる。
【００３７】
なお、外観可視画像は、目視可能な固有識別情報の視認方向からの撮影画像と、その所定の撮影方向とは異なる他方向からの撮影画像とを含む複数の画像であってもよく、その場合、例えば、固有識別情報が被検査物Ｗの包装材上に分散配置された複数の識別子等から構成されていてもよい。
【００３８】
前記搬送ベルト１１、進入検知センサ１３、Ｘ線源１４、Ｘ線ラインセンサ１５、ＣＣＤカメラ１６および選別機１７は、制御ユニット２０によってそれぞれの動作を制御されるようになっており、制御ユニット２０は、Ｘ線ラインセンサ１５の測定情報に基づいて被検査物Ｗの状態の検査、例えば被検査物Ｗ中における異物（例えば、被検査物中の他の部分とはＸ線吸収率が異なる金属等）の混入の有無を判定する検査を実行するとともに、その検査結果に応じて異物有りと判定した被検査物Ｗの排出動作を選別機１７に実行させるようになっている。なお、異物混入の検出でなく欠品検出の場合は、異物でなく被検査物中の他の部分とはＸ線吸収率が異なる特定の構成要素の有無を検出することになり、被検査物の割れや部分欠落、変形、変質等の異常を検知する場合は被検査物中の他の部分とはＸ線吸収率が異なるその割れや部分欠落等を検出することになる。
【００３９】
制御ユニット２０は、例えばＣＰＵ、ＲＯＭ、ＲＡＭおよびＩ／Ｏインターフェースを有するマイクロコンピュータ構成と、画像処理プロセッサ、タイマー、ビデオメモリ、搬送系および検出系の駆動回路等を含んで構成されており、ＲＯＭに格納された制御プログラムに従って、各種センサ情報に基づき、ＣＰＵがＲＡＭとの間でデータを授受しながら所定の演算処理を実行することで、所要の制御機能を実現できるようになっている。
【００４０】
この制御ユニット２０は、具体的には、図３に示すように、進入検知センサ１３により被検査物Ｗが検知される度にこれをトリガーとして異物判定や画像処理等を実行させる搬送・検出制御回路２１と、Ｘ線ラインセンサ１５からのＸ線透過量のライン検出信号を順次蓄積して被検査物Ｗ全体についてのＸ線透過量データを記憶保持することができる透過量データメモリ２２と、透過量データメモリ２２の記憶データを基に被検査物Ｗ中における異物の有無を判定する異物判定部２３と、透過量データメモリ２２の記憶データを基にＸ線透過量に対応する濃度分布を有するＸ線画像Ｐｘを作成するＸ線画像生成部２４と、Ｘ線画像生成部２４で作成されたＸ線画像および異物判定部２３での判定結果を表示出力することができる表示部２５とを含んで構成されている。
【００４１】
異物判定部２３は、例えば対数変換や微分処理を行なって物質によるＸ線吸収量の急峻な変化を抽出し、異物を判定するようになっている。また、Ｘ線画像生成部２４は、例えば画像処理プロセッサを有している。
【００４２】
制御ユニット２０には、更に、進入検知センサ１３の進入検知情報を基に、所定のタイミングでＣＣＤカメラ１６からの外観可視画像Ｐａと、Ｘ線画像生成部２４からのＸ線画像Ｐｘとを入力し、それぞれの画像ファイルに検査時刻情報に１：１又は１：複数で対応する画像ファイル名を付けて蓄積画像ファイルを作成し出力する蓄積画像ファイル作成部２６と、蓄積画像ファイル作成部２６からの外観可視画像Ｐａの画像ファイルを一時的にメモリ又はハードディスク等の記憶デバイスに記憶し所定形式のデータ通信ポート（図示していない）から外部のデータ蓄積記録装置５０に出力する外観画像出力部３１と、蓄積画像ファイル作成部２６からのＸ線画像Ｐｘの画像ファイルを一時的メモリ又はハードディスク等の記憶デバイスに記憶し所定形式のデータ通信ポート（図示していない）からデータ蓄積記録装置５０に出力するＸ線画像出力部３２とが設けられている。
Ｘ線画像生成部２４と蓄積画像ファイル作成部２６は、全体として、被検査物Ｗの検査毎に、Ｘ線画像Ｐｘを搬送位置識別表示部１１ｂの表示内容を含む画像として作成するＸ線画像作成手段を構成している。
【００４３】
ここで、外観画像出力部３１は、撮像手段としてのＣＣＤカメラ１６で順次撮像される外観可視画像Ｐａをそれぞれ時間と共に変化する検査時刻情報に対応するファイル名を有する画像ファイルとして出力する第１の画像出力手段となっており、Ｘ線画像出力部３２は、Ｘ線画像生成部２４で順次作成されるＸ線画像Ｐｘをそれぞれ時間と共に変化する検査時刻情報に対応するファイル名を有する画像ファイルとして出力する第２の画像出力手段となっている。
【００４４】
前記検査時刻情報は、時間と共に変化する情報で、具体的には、概ねの時間（時刻）を特定する情報、例えば２００５年１２月１３日１４時１５分のような分単位（秒単位でも、時間単位でもよい）での情報であり、上述した搬送位置識別表示部１１ｂの識別符号（例えば識別番号）による搬送位置識別情報との組み合わせにより、検査時刻情報で特定される単位時間内における各被検査物の検査順序や検査位置を特定できるようになっている。したがって、搬送ベルト１１の搬送領域１１１〜１３０がすべて一度検査領域を通過するのに要する時間（検査領域に順次搬送されてくる搬送位置識別表示部１１ｂの識別番号が最小値から最大値まで変化する周期で、検査領域内の任意の１つの搬送領域が一周して検査領域に戻るまでの時間に相当する；以下、識別符号周期という）は、少なくとも前記第１の時間情報により特定される単位時間よりも長くする必要があり、搬送ベルト１１の搬送領域の数は、ベルト搬送速度とそのような識別符号周期と前記単位時間を考慮して決定される。
【００４５】
一方、外観画像出力部３１およびＸ線画像出力部３２から画像ファイルを入力するデータ蓄積記録装置５０は、例えば大容量のハードディスク等の補助記憶装置を備えたコンピュータ（ＰＣ）、あるいは更にディスクアレイ装置等を付設したコンピュータ若しくは外部のストレージシステムにデータ通信可能に接続されたコンピュータ等で構成されており、Ｘ線検査装置１０による検査結果の蓄積情報から画像情報を抽出する蓄積情報抽出システムとなっている。
【００４６】
このデータ蓄積記録装置５０は、外観画像出力部３１からの前記外観可視画像およびＸ線画像出力部３２からの前記Ｘ線画像をそれぞれ入力する画像入力蓄積部５１（画像入力蓄積手段）と、被検査物Ｗの固有識別情報と前記検査時刻情報との対応関係を表わす情報を予めの設定入力により記憶保持し、被検査物Ｗの固有識別情報に基づいて、前記検査時刻情報を特定する検査時特定部５２（検査時刻情報特定手段）と、その検査時刻情報に基づいて取り込み済みの複数の外観可視画像Ｐａのうち特定された検査時刻情報に対応する外観可視画像Ｐａを抽出する外観画像抽出部５６（第１の画像抽出手段）と、取り込み済みの複数のＸ線画像Ｐｘのうち前記特定された検査時刻情報に対応するＸ線画像を抽出するＸ線画像抽出部５７（第２の画像抽出手段）と、外観画像抽出部５６により抽出された外観可視画像およびＸ線画像抽出部５７により抽出されたＸ線画像を対比表示することができる表示ユニット５９（表示手段）とを具備している。
【００４７】
ここで、画像入力蓄積部５１は、大容量ハードディスク又は／及びディスクアレイ装置等の公知のストレージデバイスを有しており、そこに入力画像データを記憶保存し、蓄積することができる。また、画像入力蓄積部５１は、ＤＶＤ等のリムーバブルなディスク状記録媒体あるいは他の記憶媒体に蓄積情報を書き込んで蓄積記録することができるようになっている。
【００４８】
また、検査時特定部５２は、被検査物Ｗの固有識別情報に基づいてその検査時刻情報を特定するためのデータルックアップテーブル（以下、時刻情報テーブルという）を有している。
外観画像抽出部５６およびＸ線画像抽出部５７は、検査時特定部５２で特定された検査時刻情報に対応するそれぞれ複数の外観可視画像ＰａおよびＸ線画像Ｐｘを抽出する。そして、抽出されたそれぞれ複数の画像Ｐａ、Ｐｘは、それぞれ検査順に、表示ユニット５９により例えば左右に対比した形で、個別スクロール可能に対比表示される。
【００４９】
また、データ蓄積記録装置５０は、検査時刻情報に基づいて、複数の被検査物Ｗについての検査画像を一定時間毎の検査データ群としてグループ化し、そのグループ化した複数の被検査物Ｗの検査画像を、シリアル番号に対応する検査時刻情報に基づいてグループ間で識別し、対応するグループの複数の外観可視画像ＰａおよびＸ線画像Ｐｘを参照しながら特定のシリアル番等の固有識別情報を持つ被検査物Ｗの画像Ｐａ、Ｐｘを目視選別して抽出することができるようになっている。
【００５０】
なお、Ｘ線画像Ｐｘの画像ファイルは、検査中に表示出力される各被検査物Ｗの検査条件又は検査結果に関連する情報、例えば画素数（又は画素ピッチ）、異物判定に用いた閾値、異物有無の判定結果を表わす判定値（ＯＫ／ＮＧ）、検査時にＸ検査画像と共に画面表示された測定値等のすべて又はいずれかを付加したものでもよい。
次に、動作について説明する。
【００５１】
図４は、本実施形態における検査画像の作成・出力および検索の手順を示すフローチャートであり、同図（ａ）は検査結果の蓄積記録のための画像作成・出力処理手順を、同図（ｂ）は入力・蓄積された情報から特定の固有識別情報を持つ検査データを抽出する際の手順を、それぞれ示している。
【００５２】
図４（ａ）においては、まず、被検査物Ｗが検査領域に搬送され（ステップＳ11）、進入検知センサ１３により被検査物Ｗの検査領域への進入が確認されると（ステップＳ12）、ＣＣＤカメラ１６によって被検査物Ｗの固有識別情報および搬送位置識別表示部１１ｂを含む外観可視画像Ｐａが撮像され、これとほぼ同時に、Ｘ線ラインセンサ１５によるＸ線透過量の検知が開始され、Ｘ線ラインセンサ１５によるそのＸ線透過量の検知情報に基づいて、異物判定部２３での異物混入判定が実行されるとともに、Ｘ線画像生成部２４において、Ｘ線画像Ｐｘの作成が実行される（ステップＳ14）。そして、外観可視画像ＰａおよびＸ線画像Ｐｘがそれぞれ時刻情報に対応するファイル名の画像ファイルに調製される（ステップＳ15）。
【００５３】
また、被検査物Ｗが検査領域に達するたびに上述した一連の処理が順次並行して実行され、被検査物Ｗ毎の検査画像が、一時的にではあるが、外観画像出力部３１およびＸ線画像出力部３２に順次記憶されることになる（ステップＳ11〜Ｓ15）。
【００５４】
次いで、例えばデータ蓄積記録装置５０側からの出力指令を受けると、あるいは所定時間毎に、外観画像出力部３１からは外観可視画像Ｐａの画像データが、Ｘ線画像出力部３２からはＸ線画像Ｐｘの画像データが、それぞれ出力される（ステップＳ16）。このとき、出力された両画像Ｐａ、Ｐｘの画像データはそれぞれ画像入力蓄積部５１に入力され、検査対象の被検査物Ｗの固有識別情報とその検査時刻との対応関係を表わす時刻情報テーブルと共に順次蓄積記録されていくことになる。
【００５５】
一方、製品の検査時の状態について後日問合せがあったような場合には、データ蓄積記録装置５０において、図４（ｂ）に概略手順を示すように、問合せのあった製品のシリアル番号を入力すると（ステップＳ21）、検査時特定部５２で被検査物Ｗの固有識別情報に基づいて前記検査時刻情報テーブルを参照することで検査時刻情報が特定され、その検査時刻情報に基づいて取り込み済みの複数の外観可視画像Ｐａのうち特定された検査時刻情報に対応する外観可視画像Ｐａが外観画像抽出部５６で抽出され、併せて、取り込み済みの複数のＸ線画像Ｐｘのうち前記特定された検査時刻情報に対応するＸ線画像がＸ線画像抽出部５７により抽出される。
【００５６】
そして、外観画像抽出部５６により抽出された外観可視画像ＰａおよびＸ線画像抽出部５７により抽出されたＸ線画像Ｐｘが、表示ユニット５９によって対比表示される。
【００５７】
次いで、表示された検査画像群を参照し、特定のシリアル番号や固有識別情報を持つ製品を表示画像群の中から目視で選択する（ステップＳ24）。したがって、その検査時の外観可視画像Ｐａ、Ｘ線画像Ｐｘ、更には検査値情報Ｐｍ（図１参照）をそれぞれ参照することで、検査時の被検査物Ｗの状態を客観的に評価可能となる。
【００５８】
このように、本実施形態のＸ線検査装置では、外観可視画像ＰａとＸ線画像Ｐｘとにそれぞれ搬送位置識別表示部１１ｂの識別表示内容が含まれることから、その搬送位置識別表示との組み合わせで、検査時刻情報より更に細かい単位で検査画像データを取り扱うことが可能になる。したがって、例えば、高速搬送される被検査物Ｗや搬送ピッチの小さい多量の被検査物Ｗを検査するような場合であっても、個々の被検査物Ｗの検査画像Ｐｘをその被検査物Ｗの外観可視画像Ｐａとの確実な関連付けの下に記録保存可能が画像出力を行なうことができる。また、その出力された画像ファイルは、識別および読出し可能に蓄積保存可能であり、被検査物の固有識別情報と検査時刻情報との関係を把握しておくだけで、固有識別情報および搬送位置識別表示を含む外観可視画像Ｐａを基に、被検査物の検査データを蓄積情報から確実に特定・抽出して遡及照合することが可能となる。
【００５９】
また、本実施形態においては、搬送手段が複数の搬送領域１１１〜１３０を無端に連設した手段で、搬送位置識別表示部１１ｂが、所定の搬送領域１１１を基準として、搬送方向に一定周期で変化する識別符号を表示するので、搬送位置の把握が容易で、被検査物Ｗと搬送位置との明確な対応付けが可能となる。
【００６０】
また、搬送位置識別表示部１１ｂの数字等の識別符号は、Ｘ線透過率が各搬送領域内の他の部分とは異なる材料、例えば金属系の塗料で形成できるから、搬送位置識別表示部１１ｂの表示内容がＸ線画像にも直接撮像されることになり、被検査物Ｗと搬送位置とが正確に対応付けされるばかりでなく、外観可視画像ＰａとＸ線画像Ｐｘの関連付けの信頼度が極めて高いし、その搬送位置識別表示部は容易に形成できる。
【００６１】
さらに、搬送位置識別表示部１１ｂの識別符号は、所定の搬送領域１１１を基準として、その基準搬送領域から離れるほど値が搬送方向上流側では増加し同下流側では減少する数値となっているので、搬送位置が視覚的にも直接に把握できるとともに、検索時の条件付けも容易となる。
【００６２】
本実施形態の蓄積情報抽出システムでは、また、被検査物Ｗの固有識別情報に基づいて検査時刻情報が特定されるとともに、特定された検査時刻情報に基づいて、蓄積情報から対応する外観可視画像ＰａとＸ線画像Ｐｘが抽出されて、これらが表示部２５で対比表示される。したがって、外観可視画像ＰａとＸ線画像Ｐｘとにそれぞれ搬送位置の識別情報が含まれ、その搬送位置識別表示との組み合わせで、過去の検査結果の蓄積情報から検査時刻情報の単位より細かい単位で検査画像データを遡及照合することが可能となる。
【００６３】
また、被検査物Ｗの目視可能な固有識別情報から検査時刻情報が特定されると、これに対応する複数の外観可視画像ＰａおよびＸ線画像Ｐｘが抽出されて対比表示されるから、固有識別情報が判読し難いような場合でも、それを基に蓋然性の高い蓄積画像のグループを特定し、更に外観可視画像Ｐａ中の固有識別情報や搬送位置識別表示の内容等を総合して、特定の固有識別情報を持つ被検査物を容易に特定することができることになる。
【００６４】
付言すれば、被検査物Ｗが製品として最終消費者やエンドユーザまで渡る間に、その製品が輸送その他の取り扱い中に傷付く等してしまい、被検査物Ｗの目視可能な固有識別情報が多少読み取り難くなる場合が生じ得る。
本実施形態においては、このような場合でも、判読可能な固有識別情報を基に、判読不能な部分は例えばワイルドカードにして検索入力を行ない（図４（ｂ）のステップＳ21）、被検査物Ｗの検査データを含む蓋然性荷の高い時間帯の合成検査画像群の蓄積情報を読み出し（ステップＳ22）、表示部２５に検査画像群を対比表示させて（ステップＳ23）、外観可視画像Ｐａを基に被検査物Ｗを特定することで（ステップＳ24）、その検査データを確実に抽出することができることとなる。
【００６５】
また、各被検査物Ｗの判定閾値やＸ線画像の画素数、判定結果（ＯＫ／ＮＧ）等の検査値情報Ｐｍが、Ｘ線画像Ｐｘと共に表示されるようにすれば、より詳細な検査データが抽出できる。
【００６６】
［第２の実施の形態］
【００６７】
図５は、本発明のＸ線検査装置に係る第２の実施の形態を示す図である。
なお、本実施形態のＸ線検査装置は、上述の実施形態のＸ線検査装置における第１、第２の画像出力部に代えて、第１、第２の画像蓄積部を装置内に設けたものであり、その他の主要な構成および動作は上述の実施形態と同様であるから、相違点についてのみ詳述する。
【００６８】
図５に示すように、本実施形態では、制御ユニット２０に、進入検知センサ１３の進入検知情報を基に、所定のタイミングでＣＣＤカメラ１６からの外観可視画像Ｐａと、Ｘ線画像生成部２４からのＸ線画像Ｐｘとを所定のタイミングで入力し、それぞれの画像ファイルに検査時刻情報に１：１又は１：複数で対応する画像ファイル名を付けて蓄積画像ファイルを作成し出力する蓄積画像ファイル作成部２６と、蓄積画像ファイル作成部２６からの外観可視画像Ｐａの画像ファイルを記憶保存する外観画像蓄積部４１と、蓄積画像ファイル作成部２６からのＸ線画像Ｐｘの画像ファイルを記憶保存するＸ線画像蓄積部４２とが設けられている。すなわち、上述の第１の実施の形態における第１、第２の画像出力部３１、３２に代えて、外観画像蓄積部４１およびＸ線画像蓄積部４２をＸ線検査装置１０内に設けている。
【００６９】
ここで、外観画像蓄積部４１は、撮像手段としてのＣＣＤカメラ１６で順次撮像される外観可視画像Ｐａをそれぞれ時間と共に変化する検査時刻情報に対応するファイル名で識別および読出し可能に記憶保存する第１の蓄積手段となっており、Ｘ線画像蓄積部４２は、Ｘ線画像生成部２４で順次作成されるＸ線画像Ｐｘをそれぞれ時間と共に変化する検査時刻情報に対応するファイル名で識別および読出し可能に記憶保存する第２の蓄積手段となっている。
【００７０】
これら外観画像蓄積部４１およびＸ線画像蓄積部４２は、それぞれ、例えば大容量の内蔵のハードディスクドライブ又はディスクアレイ装置等で構成することができ、更に、リムーバブルな記録媒体、例えばＤＶＤ（Digital Versatile Disk）や半導体メモリカード等に書込みおよび読出しが可能なディスクドライブやリーダライタを装備することで、蓄積データの更なる蓄積記録が可能である。
【００７１】
外観画像蓄積部４１およびＸ線画像蓄積部４２は、また、複数の被検査物Ｗの外観可視画像ＰａおよびＸ線画像Ｐｘを、その検査時刻に被検査物Ｗのシリアル番号を関連付けた時刻情報テーブルと共に記録保存するようになっており、蓄積情報を検査時刻順に読み出したり検査時刻を指定して特定の画像群を読み出したりすることができ、あるいは更に、シリアル番号により特定される所定の検査時刻やロット単位でグループ化をなす所定の手順情報に従って蓄積情報を読み出すことができる。
【００７２】
ここでの記録情報の検索用のコードは、製造時間とシリアル番号を組み合わせて作成され、例えば２００５年１２月１日８時の製造時間で製造された１２３４番目の被検査物Ｗの合成検査画像であれば、051201081234といった形で特定される。
【００７３】
蓄積情報を検索する場合には、制御ユニット２０に付設されたキーボード等を操作してシリアル番号および品種等を入力して検査時刻情報を特定し、外観画像蓄積部４１およびＸ線画像蓄積部４２から蓄積画像ファイル作成部２６に再度必要な蓄積情報を読み出し、指定した被検査物Ｗの外観可視画像ＰａおよびＸ線画像Ｐｘを通常の画像表示と同様に表示部２５で対比表示することになる。
【００７４】
本実施形態においても、外観可視画像ＰａとＸ線画像Ｐｘとにそれぞれ搬送位置の識別情報が含まれることから、その搬送位置識別表示との組み合わせで、過去の検査結果の蓄積情報から検査時刻の情報（例えば秒単位）より細かい単位で検査画像データを遡及照合することができ、上述の実施形態と同様の効果が得られる。
【００７５】
しかも、本実施形態においては、外観画像蓄積部４１およびＸ線画像蓄積部４２を装置内に内蔵しているので、外部にデータ蓄積のための設備がない場合でも問題なく最初から検査データを確実に蓄積することができ、必要時に確実なデータ抽出ができるという利点がある。
【００７６】
［第３の実施の形態］
【００７７】
図６は、本発明のＸ線検査装置およびこれと協働する蓄積情報抽出システムに係る第３の実施の形態を示す図である。
【００７８】
なお、本実施形態のＸ線検査装置は、第１の実施の形態のＸ線検査装置に対し搬送位置識別表示部の態様が異なるものであり、その他の主要な構成および動作は第１実施形態と同様であるから、同一若しくは類似の構成要素については上述と同様の符号を用いて説明し、上述の実施形態との相違点についてのみ詳述する。
【００７９】
図６に示すように、本実施形態のＸ線検査装置１０では、被検査物Ｗを搬送する無端の可撓性の搬送ベルト１１が被検査物Ｗの搬送方向に所定間隔に配された複数の搬送領域１１１〜１３０を有している。
【００８０】
これらの搬送領域１１１〜１３０は、それぞれ、例えば被検査物Ｗが載置される載置部１１ａと、視覚により識別可能で他の搬送領域とではその表示内容が異なる複数の搬送位置識別表示部１１ｂを含んでいる。なお、搬送ベルト１１の搬送位置識別表示部１１ｂは、搬送位置識別用の識別符号として、例えば上述と同様な識別番号を表示している。
【００８１】
そして、搬送ベルト１１の各搬送領域１１１〜１３０の搬送位置識別表示部１１ｂは、その搬送位置識別用の識別符号部分が、磁性成分を含み、乾燥被膜状態での磁気的読取を可能にする磁性インクによって形成されている。
【００８２】
また、Ｘ線検査装置１０には、各搬送領域１１１〜１３０の搬送位置識別表示部１１ｂの識別番号であるインデックス（識別符号）を読み取る少なくとも１つ、例えば一対のインデックスリーダ１８、１９（図６中では単にリーダと記している）が設けられている。インデックスリーダ１８は、ＣＣＤカメラ１６による外観可視画像Ｐａの撮像に先立って又はそれと同時に、撮像対象となる今回の搬送領域（今回の検査対象の被検査物Ｗを搬送する領域）の搬送位置識別表示部１１ｂのインデックスを磁気的に読み取る公知の磁気読取手段である。
【００８３】
インデックスリーダ１９は、進入検知センサ１３の検知信号をトリガーとしてＸ線検査される今回の被検査物Ｗについて、その搬送領域の搬送位置識別表示部１１ｂのインデックスを磁気的に読み取る公知の磁気読取手段である。
【００８４】
これらインデックスリーダ１８、１９の読み取り情報は制御ユニット２０に取り込まれ、この制御ユニット２０の蓄積画像ファイル作成部２６で検査時刻情報に１：１又は１：複数で対応する画像ファイル名を付けて蓄積画像ファイルを作成し出力する際に、インデックスリーダ１８、１９で読み取ったインデックス情報を対応する外観可視画像ＰａおよびＸ線画像Ｐｘの中に、画像中の可視情報として埋め込む処理を実行するようにしている（図６参照）。
【００８５】
本実施形態においても、複数の被検査物Ｗの外観可視画像ＰａおよびＸ線画像Ｐｘが、その検査時刻に被検査物Ｗのシリアル番号を関連付けた時刻情報テーブルと共に記録保存され、蓄積情報を検査時刻順に読み出したり検査時刻を指定して特定の画像群を読み出したりすることができるようになっており、その記録情報の検索用のコードは、上述の第２の実施の形態の場合と同様である。
【００８６】
蓄積情報を検索する場合には、制御ユニット２０に付設されたキーボード等を操作してシリアル番号および品種等を入力し、検査時刻情報を特定して再度必要な蓄積情報を読み出し、指定した被検査物Ｗの外観可視画像ＰａおよびＸ線画像Ｐｘをデータ蓄積記録装置５０の表示ユニット５９（表示手段）によって対比表示させることになる。
【００８７】
本実施形態においても、外観可視画像ＰａとＸ線画像Ｐｘとにそれぞれ搬送位置を識別するインデックス情報が含まれることから、その搬送位置識別表示との組み合わせで、過去の検査結果の蓄積情報から検査時刻の情報（例えば秒単位）より細かい単位で検査画像データを遡及照合することができ、上述の実施形態と同様の効果が得られる。
【産業上の利用可能性】
【００８８】
以上説明したように、本発明は、外観可視画像とＸ線画像とにそれぞれ搬送位置識別情報を含めることにより、その搬送位置識別表示との組み合わせで過去の検査結果の蓄積情報から検査時刻の情報より細かい単位で検査画像データを遡及照合することができる結果、高速搬送される被検査物や搬送ピッチの小さい多量の被検査物を検査する場合であっても、個々の被検査物の検査データをその被検査物の外観情報との確実な関連付けの下に記録保存することができ、さらに、被検査物の固有識別情報と検査時刻情報との関係を把握しておくだけで、固有識別情報および搬送位置識別表示を含む外観可視画像を基に、被検査物の検査データを蓄積情報から確実に特定・抽出して遡及照合することができるＸ線検査装置および蓄積情報検査システムを提供することができるという効果を奏するものであり、搬送中の被検査物に向けてＸ線を照射し、その被検査物のＸ線透過量に基づいて被検査物の状態を検査するＸ線検査装置および蓄積情報抽出システム、特に、検査済み製品の検査データを、後日、蓄積情報から特定し抽出できるようにしたＸ線検査装置および蓄積情報抽出システム全般に有用である。
【図面の簡単な説明】
【００８９】
【図１】本発明の第１の実施の形態に係るＸ線検査装置および蓄積情報抽出システムを示すその模式的なシステム構成図である。
【図２】本発明の第１の実施の形態に係るＸ線検査装置の概略構成を示す正面図である。
【図３】本発明の第１の実施の形態におけるその制御系の概略構成を示すブロック図である。
【図４】本発明の第１の実施の形態における検査画像の蓄積記録および検索読出し処理手順を示すフローチャートで、（ａ）はその検査画像の蓄積記録の処理手順を、（ｂ）はその蓄積情報からの検索読出しの処理手順を、それぞれ示している。
【図５】本発明の第２の実施の形態に係るＸ線検査装置の制御系の概略構成を示すブロック図である。
【図６】本発明の第３の実施の形態に係るＸ線検査装置および蓄積情報抽出システムを示すその模式的なシステム構成図である。
【符号の説明】
【００９０】
１０    Ｘ線検査装置
１１    搬送ベルト（搬送手段）
１１ａ    載置部
１１ｂ    搬送位置識別表示部
１３    進入検知センサ
１４    Ｘ線源
１５    Ｘ線ラインセンサ
１６    ＣＣＤカメラ（撮像手段）
１７    選別機
２０    制御ユニット
２３    異物判定部
２４    Ｘ線画像生成部（Ｘ線画像作成手段）
２５    表示部
２６    蓄積画像ファイル作成部（Ｘ線画像作成手段）
３１    外観画像出力部（第１の画像出力手段）
３２    Ｘ線画像出力部（第２の画像出力手段）
５０    データ蓄積記録装置（蓄積情報抽出システム）
５１    画像入力蓄積部（画像入力蓄積手段）
５２    検査時特定部（検査時刻情報特定手段）
５６    外観画像抽出部（第１の画像抽出手段）
５７    Ｘ線画像抽出部（第２の画像抽出手段）
５９    表示ユニット（表示手段）
１１１〜１３０    搬送領域
Ｐａ    外観可視画像
Ｐｍ    検査値情報
Ｐｘ    Ｘ線画像
Ｗ    被検査物
【図１】
2006234422.tif 000003
【図２】
2006234422.tif 000004
【図３】
2006234422.tif 000005
【図４】
2006234422.tif 000006
【図５】
2006234422.tif 000007
【図６】
2006234422.tif 000008